(57)【要約】      （修正有）【課題】人感センサの取り付け向きと安価なドアセンサを組み合わせることにより、居住者の外出／帰宅を確実に判定する高齢者見守りシステムを提供する。【解決手段】集合住宅等の各住居内の生活空間をカバーするように配設された、居住者の動きや生活行動を検知するセンサを配置すると共に、人感センサを玄関ドア２３が検知エリア２５，２８となるような向きに配置し、この玄関ドアの下部に不検知ゾーンを設けるようにようにした。【選択図】図３
0003162184.tif 000002
【実用新案登録請求の範囲】
【請求項１】
玄関ドアを開けた時に、該玄関ドアの外まで検知エリアとなるように第１の人感センサを前記玄関ドアに向けて配設するとともに、玄関空間を検知エリアとし、前記玄関ドアの外は検知エリアとならないように第２の人感センサを配設するように構成し、前記玄関ドアの開閉を検知する玄関ドアセンサと前記第１の人感センサ、および前記第２の人感センサとから、居住者の外出と帰宅を検知するようにしたことを特徴とする高齢者見守りシステム。
【請求項２】
玄関ドアを開けた時に、該玄関ドアの外まで検知エリアとなるように第１の人感センサが前記玄関ドアに向けて配設され、前記玄関ドアの下部が所定の高さまで、前記第１の人感センサの不検知ゾーンとなることを特徴とする請求項１記載の高齢者見守りシステム。
【請求項３】
居住者の生活空間をカバーするように、前記居住者の動きを検知する人感センサ、または生活行動を検知する生活行動センサが配設され、前記居住者の在室時に前記人感センサまたは前記生活行動センサの検知出力が通信手段を介して管理センターのサーバに送られることを特徴とする請求項１または２記載の高齢者見守りシステム。
【請求項４】
住戸内見守り装置が居住者の動きを検知する人感センサ、あるいは生活行動を検知する生活行動センサを有すると共に、前記居住者の名前の呼びかけが音声出力されることを特徴とする請求項１〜３のいずれかに記載の高齢者見守りシステム。
【考案の詳細な説明】
【技術分野】
【０００１】  本考案は、一人で暮らしている高齢居住者が、住居内で安心して生活でき、元気づけられる高齢者見守りシステムに関する。
【背景技術】
【０００２】  近年、少子高齢化社会が進みつつあり、独居を選ぶ高齢者が増加している。このため、都市部では地域コミュニティが希薄になると共に人的交流が疎遠になりがちになり、隣家の異変に気付き難くなっている。最近の安否予防のシステムとして訪問介護や訪問サービス等の介護関係やパソコンを利用した在宅健康診断のサービス提供、また、日常使われている水道や電気ポットを利用したシステムや看護が必要な見守り対象者に対する生活見守りシステムが従来技術として知られている。本考案の先行技術文献として、下記のものがある。
【先行技術文献】
【特許文献】
【０００３】
【特許文献１】特開２００５−１２３７２７号報
【考案の概要】
【考案が解決しようとする課題】
【０００４】  上記文献の技術によれば、生活見守りシステムにおいて、見守り対象者が帰宅したかどうかの判定を人感センサの感応回数と時間で行うようにしている。しかしながら、集合住宅等に居住する独居高齢者が玄関ドアから外に出たことの検知と玄関ドアから入ってきたという事実の外出／帰宅検知が行われていない。更に、猫や犬などのペットがいる場合、人感センサの感応回数と時間からだけでは見守り対象者が帰宅したのか、ペットが動いているのか不明である。また、従来技術として玄関ドアを外から施錠すると接点出力がでる外出確認錠があるが、高価であることと、取り付けに工事が必要になり、場合によってはドアの交換が必要になる。そこで、この考案は、人感センサの取り付け向きと安価なドアセンサを組み合わせることにより、居住者の外出／帰宅を確実に判定する高齢者見守りシステムを提供することである。
【課題を解決するための手段】
【０００５】  本考案は、上記従来の課題を解決するためになされたものであり、集合住宅等の各住居内の生活空間をカバーするように配設された、居住者の動きや生活行動を検知するセンサを配置すると共に、人感センサを玄関ドアが検知エリアとなるような向きに配置すると共に、この玄関ドアの下部に不検知ゾーンを設けるようにようにした高齢者見守りシステムである。
【考案の効果】
【０００６】  本考案の高齢者見守りシステムによれば、居住者がペットを飼っていたとしても、安価な構成で、居住者の外出と帰宅を確実に検知できる。更に居住者が外出している間にペットが居住空間を動き回っていても生活見守りとしての誤検知は生じない。あわせて、住戸内の居住者の動きや生活行動を検知するようにしたので、居住者の異常を早期に見つけることができる。更に、それぞれの住戸の居住者の名前を用いて呼びかけるようにしたので、独居高齢者が、日々、自分の名前を呼びかけられることで、孤立感や疎外感を感じることなく元気づけられる。
【図面の簡単な説明】
【０００７】
【図１】  本考案の一実施形態を示すブロック図である。
【図２】  本考案の一実施形態の詳細を示すブロック図である。
【図３】  本考案の一実施形態のセンサ配置と動作説明を示す図である。
【図４】  本考案の一実施形態のセンサ配置と動作説明を示す図である。
【考案を実施するための形態】
【０００８】  本考案の一実施形態を図１〜４に示す。図１で人感センサ１〜４は住居内の居住者の生活空間（玄関、居間、台所等）をカバーするように配設される。また、テレビやエアコンなどのリモコンを操作したことを検知するリモコン操作センサ、あるいは照明灯をオン／オフしたことを検知する照明オン／オフセンサ等の居住者の生活行動を検知する生活行動センサ１６が居住者の生活空間に配設される。これらの人感センサ１〜４と生活行動センサ１６は、有線または無線で住居内のコントローラ７に接続される。図２で、コントローラ７は、ＣＰＵとＲＯＭ、ＲＡＭからなるメモリ、および入出力ポート等を有したマイコン１１、マイコン１１と住戸外の公衆回線等の通信手段８とを接続するための通信インターフェースＩＣ１５、マイコン１１に接続された音声合成ＬＳＩからなる音声合成手段１２、アンプ１３、スピーカ１４で構成される。更に、コントローラ７には、玄関ドアセンサ５からの開閉出力６が入力される。人感センサ１〜４は、例えば人間の体温（３６．５℃）から放射される赤外線のピーク波長約１０μｍおよび動きに検出感度を有する焦電型赤外センサとレンズから構成されたものである。この人感センサ１〜４は、設置場所に応じて適切な向きに配設され、部屋全体の広いエリアやスポット的なエリアをある程度限定した検知等に、それぞれ適した構成とすることができる。また、人感センサ１〜４は人の体温と動きを検知するもので、照明のオン／オフ、日中の明るさ、暗闇、テレビやラジオの音などは検知しないため、昼夜に関係なく居住者の動きが検知できる。人感センサ１〜４からの検知出力と生活行動センサ１６からの検知出力は、コントローラ７のマイコン１１に入力され、居住者の動きの検知回数、および生活行動の検知回数のカウントと記憶が行われる。コントローラ７からは、記憶された検知回数が所定の時間間隔で通信手段８を介して管理センターのサーバ９に送信される。居住者が在室時に何らかの異常状態が生じ、人感センサ１〜４のいずれからも検知出力が得られなくなり、また、生活行動センサ１６からの検知出力が得られなくなり、所定の時間が経過した場合、コントローラ７で居住者の異常の一次判定が行われ、公衆回線等の通信手段８を介して管理センターのサーバ９に異常の一次判定情報が自動通報されるように構成される。コントローラ７はそれぞれの人感センサ１〜４と生活行動センサ１６から検知された検知回数を記憶し、例えば１２時間に１回、通信手段８を介して定期的に管理センターのサーバ９に送信される。サーバ９は図示しないが各住戸からの検知回数履歴が記憶され、見守り履歴データとなる。また、サーバ９に異常の一次判定情報が入力された場合、見守り履歴データと異常の一次判定情報との自動付き合わせが行われ、独居者の事故早期発見が行われる。通信手段８は、集合住宅内の管理室（管理センター）との通信のような場合、公衆回線を用いなくても無線を用いた専用線でもよい。玄関ドアセンサ５は、例えばリードスイッチで構成され、玄関ドア２３に取り付けられた磁石とで近接スイッチとして動作し、玄関ドア閉で開閉出力６が論理値‘０’、玄関ドア開で開閉出力６が論理値‘１’とし出力されてコントローラ７��入力される。次に本考案の詳細を図３と図４で説明する。第１の人感センサ１は、玄関の天井２１または玄関の側壁３０に取り付けられ、三角形の検知エリア２５となるように玄関ドア２３に向けて配設される。ここで、玄関ドア２３を開けた場合の第１の人感センサ１の検知エリア２５は、ドア開時検知境界２６とドア開時検知境界２７の間の空間が、玄関ドア２３の外側に第１の人感センサ１の検知エリア２５として拡大される。更に、図４に示したように、第１の人感センサ１の検知エリア２５は、玄関ドア２３の内側表面で玄関ドア２３の下端から約１ｍの高さまで検知されない不検知ゾーン２９となるように設定されている。このように第１の人感センサ１の検知エリア２５が設定されるので、玄関ドア２３の内側の近傍で、床２４の上の犬、または猫等のペットが動き回っても第１の人感センサ１ではペットは検知されない。居住者が玄関ドア２３の内側の近傍に来た時には、この第１の人感センサ１の検知エリア２５に上半身が入るので動きの居場所検知が行われる。第２の人感センサ２は、天井２１と側壁２２の境界、またはその近傍に取り付けられ、玄関空間が検知エリア２８となるような向きに配設される。更に、この第２の人感センサ２は、玄関ドア２３が開いた場合、玄関ドア２３の外側には検知エリア２８が生じないように検知エリア２８が制限されるように構成される。ここで本考案での居住者の外出と帰宅の検知動作を説明する。居住者が玄関に向かうと最初に第２の人感センサ２の検知エリア２８に入り、第２の人感センサ検知出力として論理値‘１’が出力される。次に玄関ドア２３の内側近傍では、第２の人感センサ２の検知出力として論理値‘１’と第１の人感センサ１の検知出力として論理値‘１’の両方の検知出力が得られる。次に玄関ドア２３を開けると玄関ドアセンサ５は開閉出力６の論理値‘１’が出力される。玄関ドア２３を開けて居住者がドアの外側に立つと第２の人感センサ２の出力は論理値‘０’、第１の人感センサ１の出力は、まだ検知エリア２５が存在するので論理値‘１’が出力される。次に玄関ドア２３が閉じると玄関ドアセンサ５は開閉出力６の論理値‘０’が出力されると共に、第１の人感センサ１の検知出力と第２の人感センサ２の検知出力は、共に論理値‘０’となる。このように居住者が外出した場合、第２の人感センサ２と第１の人感センサ１と玄関ドアセンサ５のそれぞれの検知出力のシーケンスは次のようになる。
（第２の人感センサ２の検知出力‘１’、第１の人感センサ１の検知出力‘０’、玄関ドアセンサ５の検知出力‘０’）→（第２の人感センサ２の検知出力‘１’、第１の人感センサ１の検知出力‘１’、玄関ドアセンサ５の検知出力‘０’）→（第２の人感センサ２の検知出力‘１’、第１の人感センサ１の検知出力‘１’、玄関ドアセンサ５の検知出力‘１’）→（第２の人感センサ２の検知出力‘０’、第１の人感センサ１の検知出力‘１’、玄関ドアセンサ５の検知出力‘１’）→（第２の人感センサ２の検知出力‘０’、第１の人感センサ１の検知出力‘０’、玄関ドアセンサ５の検知出力‘０’）
このように、第１の人感センサ１と第２の人感センサ２と玄関ドアセンサ５のそれぞれの検知出力がマイコン１１に入力され、シーケンス処理で方向も判定されて居住者の外出が確実に検知される。マイコン１１で居住者の外出が検知されると、人感センサ１〜４、生活行動センサ１６からの見守りとしての出力の監視は中止される。このため、居住者が外出中残されたペットが動き回っても、見守りとしての誤検知はない。
次に、居住者が帰宅した場合の第２の人感センサ２と第１の人感センサ１と玄関ドアセンサ５のそれぞれの検知出力のシーケンスは次のようになる。
（第２の人感センサ２の検知出力‘０’、第１の人感センサ１の検知出力’０’、玄関ドアセンサ５の検知出力‘０’）→（第２の人感センサ２の検知出力‘０’、第１の人感センサ１の検知出力‘１’、玄関ドアセンサ５の検知出力‘１’）→（第２の人感センサ２の検知出力‘１’、第１の人感センサ１の検知出力‘１’、玄関ドアセンサ５の検知出力‘１’）→（第２の人感センサ２の検知出力‘１’、第１の人感センサ１の検知出力‘１’、玄関ドアセンサ５の検知出力‘０’）→（第２の人感センサ２の検知出力‘１’、第１の人感センサ１の検知出力‘０’、玄関ドアセンサ５の検知出力‘０’）
このように、居住者の外出が検知された後は、第２の人感センサ２と第１の人感センサ１と玄関ドアセンサ５のそれぞれの検知出力のシーケンス動作をマイコン１１が監視して、帰宅時のシーケンスと方向が検知され、居住者の帰宅が確実に帰宅したことが検知される。このように玄関ドア２３の開閉を検知する玄関ドアセンサ５と第１の人感センサ１、および第２の人感センサ２とから、居住者の外出と帰宅を確実に検知することができる。ペットの犬等が、玄関ドア２３をこじ開けて勝手に出た場合、第１の人感センサ１の検知エリア２５は、玄関ドア２３の下部に不検知ゾーン２９を設けているので、上記の居住者の外出時の第２の人感センサ２と第１の人感センサ１と玄関ドアセンサ５のそれぞれの検知出力のシーケンスは成立しない。このため、居住者が外出したとの外出誤検知は生じない。このように、人感センサ１〜４、玄関ドアセンサ５、生活行動センサ１６、コントローラ７で住戸内見守り装置１０が構成される。更に、管理センターのサーバ９から見守り対象の各住戸の居住者名（名前）をテキスト文で住戸内見守り装置１０に通信手段８を介して予め送信される。送信された居住者名（名前）のテキスト文は、住戸内見守り装置１０のマイコン１１内のメモリに記憶される。この居住者名（名前）のテキスト文は、住戸毎に固有のため、対応した住戸にそれぞれ送信される。更に、サーバ９からは、テキスト文の同報情報と時刻情報が見守り対象の全住戸の住戸内見守り装置１０に通信手段８を介して送信され、住戸内見守り装置１０のマイコン１１内のメモリに記憶される。ここで、時計用ＩＣ２０から時刻がマイコン１１に入力されるように構成されており、テキスト文の同報情報と共に送信された時刻情報が一致した時に、マイコン１１内のメモリに予め記憶された居住者名（名前）に続いて、マイコン１１内のメモリに記憶されたテキスト文の同報情報が音声合成手段１２に入力され、合成音声に変換されてアンプ１３で増幅された後にスピーカ１４から音声が出力される。スピーカ１４から出力される音声は、例えば、朝の７時に「平松さん、おはようございます」、昼の１２時に「平松さん、今日は青空市場を開いていますよ」、夕方の７時に「平松さん、今日はお元気でしたか」のように、各住戸の居住者名（名前）で呼びかけが行われる。それぞれの住戸の居住者の名前を用いて呼びかけるようにしたので、独居高齢者が、日々、自分の名前を呼びかけられることで、孤立感や疎外感を感じることなく元気づけられる。サーバ９から呼びかけの居住者名（名前）と同報情報の音声情報をそれぞれテキスト文で送信したが、これらの音声情報は、例えばＭＰ３のように、サーバ９に音声圧縮手段としてのエンコーダを有し、それぞれの居住者名（名前）の登録と同報情報の登録がされるように構成してもよい。エンコーダを介して登録された居住者名（名前）は、サーバ９から見守り対象の各住戸の居住者名（名前）が圧縮された音声情報で住戸内見守り装置１０に通信手段８を介して予め送信される。送信された居住者名（名前）の圧縮された音声情報は、住戸内見守り装置１０のマイコン１１内のメモリに記憶される。この居住者名（名前）の圧縮された音声情報は、住戸毎に固有のため、対応した住戸にそれぞれ送信される。更に、サーバ９からは、圧縮された音声情報の同報情報と時刻情報が見守り対象の全住戸の住戸内見守り装置１０に通信手段８を介して送信され、住戸内見守り装置１０のマイコン１１内のメモリに記憶される。ここで、時計用ＩＣ２０から時刻がマイコン１１に入力されるように構成されており、圧縮された音声情報の同報情報と共に送信された時刻情報が一致した時に、マイコン１１内のメモリに予め記憶された圧縮された音声情報の居住者名（名前）に続いて、マイコン１１内のメモリに記憶された圧縮された音声情報の同報情報が図示しないが、音声合成手段１２の代わりに用意されたデコーダからなる音声伸長手段に入力され、伸長された音声に変換されてアンプ１３で増幅された後にスピーカ１４から音声が出力される。スピーカ１４から出力される音声は、例えば、朝の７時に「小池さん、おはようございます」、昼の１２時に「小池さん、今日は青空市場を開いていますよ」、夕方の７時に「小池さん、今日はお元気でしたか」のように、各住戸の居住者名（名前）で呼びかけが行われる。あわせて、住戸内の居住者の動きや生活行動を検知するようにしたので、居住者の異常を早期に見つけることができる高齢者見守りシステムを提供できる。
【符号の説明】
【０００９】１  第１の人感センサ
２  第２の人感センサ
３〜４  人感センサ
５  玄関ドアセンサ
７  コントローラ
８  通信手段
９  サーバ
１０  住戸内見守り装置
１１  マイコン
１２  音声合成手段
１３  アンプ
１４  スピーカ
１５  通信インターフェースＩＣ
１６  生活行動センサ
２０  時計用ＩＣ
２１  天井
２２  側壁
２３  玄関ドア
２４  床
２５  検知エリア
２８  検知エリア
２９  不検知ゾーン
３０  側壁
【図１】
0003162184.tif 000003
【図２】
0003162184.tif 000004
【図３】
0003162184.tif 000005
【図４】
0003162184.tif 000006
【手続補正書】
【提出日】平成22年6月3日(2010.6.3)
【手続補正１】
【補正対象書類名】実用新案登録請求の範囲
【補正対象項目名】請求項３
【補正方法】変更
【補正の内容】
【請求項３】
住居内の居住者の生活空間をカバーするように、前記居住者の動きを検知する人感センサ、または前記居住者のリモコン操作あるいは照明灯オン／オフの生活行動を検知する生活行動センサが配設され、前記居住者の在室時に前記人感センサまたは前記生活行動センサの検知出力が通信手段を介して管理センターのサーバに送られることを特徴とする請求項１または２記載の高齢者見守りシステム。
【手続補正２】
【補正対象書類名】実用新案登録請求の範囲
【補正対象項目名】請求項４
【補正方法】変更
【補正の内容】
【請求項４】
居住者の動きを検知する人感センサ、または前記居住者のリモコン操作あるいは照明灯オン／オフの生活行動を検知する生活行動センサを有すると共に、少なくとも音声合成手段とスピーカを有したコントローラで構成される住戸内見守り装置は、管理センターのサーバから通信手段を介して前記居住者の名前の呼びかけが音声出力されることを特徴とする請求項１〜３のいずれかに記載の高齢者見守りシステム。